(57)【要約】  エレベータのかご室天井装置において、安全スイッチ（２０）は、天蓋本体（１５）の救出口（１５ａ）の縁部に設けられている。ロック部材（１８）は、救出口蓋（１６）を全閉位置にロックするロック位置とロックを解除する解除位置との間で回動可能に救出口蓋（１６）に設けられている。ロック部材（１８）には、ロック位置にあるときに安全スイッチ（２０）に係合するスイッチ係合部（１８ａ）が設けられている。スイッチ係合部（１８ａ）の安全スイッチ（２０）への係合が解除されることにより、安全スイッチ（２０）の接点が開かれる。
2014027392.tif 000002
【特許請求の範囲】
【請求項１】
救出口が設けられている天蓋本体と、前記天蓋本体に設けられており、前記救出口を開閉する救出口蓋とを有している天蓋、及び
前記救出口蓋を全閉位置にロックするロック位置とロックを解除する解除位置との間で変位可能なロック部材と、専用のキーによりかご室内から前記ロック部材を操作するためのキー操作部と、前記ロック部材の位置に応じてかごの昇降を規制する安全スイッチとを有しており、前記天蓋に設けられているロック装置
を備え、
前記安全スイッチは、前記天蓋本体の前記救出口の縁部に設けられており、
前記ロック部材は、前記救出口蓋に回動可能に設けられており、
前記ロック部材には、ロック位置にあるときに前記安全スイッチに係合するスイッチ係合部が設けられており、
前記スイッチ係合部の前記安全スイッチへの係合が解除されることにより、前記安全スイッチの接点が開かれるエレベータのかご室天井装置。
【請求項２】
前記ロック部材は、前記安全スイッチに干渉することにより前記救出口蓋が全閉されるのを阻止する全閉阻止位置にも回動可能である請求項１記載のエレベータのかご室天井装置。
【請求項３】
救出口が設けられている天蓋本体と、前記天蓋本体に設けられており、前記救出口を開閉する救出口蓋とを有している天蓋、及び
前記救出口蓋の開放を機械的に阻止するロック位置とロックを解除する解除位置との間で変位可能なロック部材と、専用のキーによりかご室内から前記ロック部材を操作するためのキー操作部と、前記ロック部材の位置に応じてかごの昇降を規制する安全スイッチとを有しており、前記天蓋に設けられているロック装置
を備え、
前記安全スイッチは、前記救出口蓋の縁部に設けられており、
前記ロック部材は、前記救出口蓋の縁部に沿ってスライド可能に前記救出口蓋に設けられており、
前記ロック部材には、ロック位置にあるときに前記安全スイッチに係合するスイッチ係合部と、ロック位置にあるときに前記天蓋本体に係合して前記救出口蓋の開放を阻止するストッパ部とが設けられており、
前記天蓋本体には、前記ロック部材が解除位置にあるときに前記ストッパ部の通過を許容する切欠部が設けられており、
前記スイッチ係合部の前記安全スイッチへの係合が解除されることにより、前記安全スイッチの接点が開放されるエレベータのかご室天井装置。
【請求項４】
前記救出口蓋には、前記救出口蓋が開放されているときに前記安全スイッチと前記ロック部材との間に位置し前記スイッチ係合部が前記安全スイッチに係合するのを阻止する遮蔽部材が設けられている請求項３記載のエレベータのかご室天井装置。
【請求項５】
前記遮蔽部材は、弾性変形されることにより前記スイッチ係合部の前記安全スイッチへの係合を許容する遮蔽板ばねである請求項４記載のエレベータのかご室天井装置。
【請求項６】
前記天蓋本体には、前記救出口蓋が全閉されたときに前記遮蔽板ばねに当接して前記遮蔽板ばねを弾性変形させるばね押さえが設けられている請求項５記載のエレベータのかご室天井装置。
【発明の詳細な説明】
【技術分野】
【０００１】
この発明は、天蓋に救出口が設けられており、救出口が救出口蓋により開閉されるエレベータのかご室天井装置に関するものである。
【背景技術】
【０００２】
かご室の天井に救出口が設けられている従来のエレベータでは、救出口を開閉する救出口蓋に、照明装置及び換気装置等の機器が取り付けられている（例えば、特許文献１参照）。【０００３】
また、例えばＥＮ８１−１（欧州法規）やＧＢ（中国法規）では、一般の乗客によりかご室内から救出口蓋が開放されないように、ロック装置により救出口蓋をロックすることが義務付けられている。救出口蓋のロックは、消防隊員等の作業員がかご上でロック装置を操作することにより解除され、これにより救出口蓋の開動作が可能となる。また、ロック装置によるロックが解除されると、安全回路スイッチの接点が開放され、かごの自動運転が禁止される。【０００４】
さらに、万一、作業員が救出口からかご室内に入った状態で救出口蓋が閉じてしまった場合に備えて、ロック装置にはキー操作部（三角キー）が設けられている。このキー操作部にかご室内から専用のキーを嵌合して回転操作することによっても、ロック装置によるロックを解除することができる。
【先行技術文献】
【特許文献】
【０００５】
【特許文献１】特開平６−３４０３８６号公報
【発明の概要】
【発明が解決しようとする課題】
【０００６】
上記のような従来のエレベータでは、救出口蓋にロック装置を設置することにより、照明装置や換気装置の大きさやレイアウトに制約が発生し、意匠の自由度が低下する。特に、救出口の大きさが制限される場合（例えば３５０ｍｍ×５００ｍｍ）、照明装置や換気装置を設置するスペースが制限されてしまう。【０００７】
この発明は、上記のような課題を解決するためになされたものであり、ロック装置を効率的に配置し、救出口蓋に設置される機器のレイアウトの自由度を向上させることができるエレベータのかご室天井装置を得ることを目的とする。
【課題を解決するための手段】
【０００８】
この発明に係るエレベータのかご室天井装置は、救出口が設けられている天蓋本体と、天蓋本体に設けられており、救出口を開閉する救出口蓋とを有している天蓋、及び救出口蓋を全閉位置にロックするロック位置とロックを解除する解除位置との間で変位可能なロック部材と、専用のキーによりかご室内からロック部材を操作するためのキー操作部と、ロック部材の位置に応じてかごの昇降を規制する安全スイッチとを有しており、天蓋に設けられているロック装置を備え、安全スイッチは、天蓋本体の救出口の縁部に設けられており、ロック部材は、救出口蓋に回動可能に設けられており、ロック部材には、ロック位置にあるときに安全スイッチに係合するスイッチ係合部が設けられており、スイッチ係合部の安全スイッチへの係合が解除されることにより、安全スイッチの接点が開かれる。
また、この発明に係るエレベータのかご室天井装置は、救出口が設けられている天蓋本体と、天蓋本体に設けられており、救出口を開閉する救出口蓋とを有している天蓋、及び救出口蓋の開放を機械的に阻止するロック位置とロックを解除する解除位置との間で変位可能なロック部材と、専用のキーによりかご室内からロック部材を操作するためのキー操作部と、ロック部材の位置に応じてかごの昇降を規制する安全スイッチとを有しており、天蓋に設けられているロック装置を備え、安全スイッチは、救出口蓋の縁部に設けられており、ロック部材は、救出口蓋の縁部に沿ってスライド可能に救出口蓋に設けられており、ロック部材には、ロック位置にあるときに安全スイッチに係合するスイッチ係合部と、ロック位置にあるときに天蓋本体に係合して救出口蓋の開放を阻止するストッパ部とが設けられており、天蓋本体には、ロック部材が解除位置にあるときにストッパ部の通過を許容する切欠部が設けられており、スイッチ係合部の安全スイッチへの係合が解除されることにより、安全スイッチの接点が開放される。
【発明の効果】
【０００９】
この発明のエレベータのかご室天井装置は、ロック部材にスイッチ係合部を設け、ロック部材がロック位置にあるときにスイッチ係合部が安全スイッチに係合し、スイッチ係合部の安全スイッチへの係合を解除しロック部材を解除位置に変位させると、安全スイッチの接点が開かれるとともに、救出口蓋のロックが解除されるようにしたので、ロック装置を効率的に配置し、救出口蓋に設置される機器のレイアウトの自由度を向上させることができる。
【図面の簡単な説明】
【００１０】
【図１】この発明の実施の形態１によるエレベータを示す構成図である。
【図２】図１のかご室の断面図である。
【図３】図２のかご室を示す平面図である。
【図４】図３のＩＶ部を拡大して示す平面図である。
【図５】図４のロック装置を示す右側面図である。
【図６】図４のロック装置によるロックを解除した状態を示す平面図である。
【図７】この発明の実施の形態２によるエレベータのかご室天井装置の要部を示す平面図である。
【図８】図７のロック装置によるロックを解除した状態を示す平面図である。
【図９】図８のＩＸ−ＩＸ線に沿う断面図である。
【図１０】図８のＸ−Ｘ線に沿う断面図である。
【発明を実施するための形態】
【００１１】
以下、この発明を実施するための形態について、図面を参照して説明する。
実施の形態１．
図１はこの発明の実施の形態１によるエレベータを示す構成図である。図において、昇降路１の上部には、機械室２が設けられている。機械室２には、巻上機（駆動装置）３、そらせ車４、及びエレベータ制御装置（制御盤）５が設置されている。巻上機３は、駆動シーブ６と、駆動シーブ６を回転させる巻上機モータ（図示せず）と、駆動シーブ６の回転を制動する巻上機ブレーキ（図示せず）とを有している。
【００１２】
駆動シーブ６及びそらせ車４には、懸架体７が巻き掛けられている。懸架体７としては、複数本のロープ又は複数本のベルトが用いられている。懸架体７の第１の端部には、かご８が接続されている。懸架体７の第２の端部には、釣合おもり９が接続されている。
【００１３】
かご８及び釣合おもり９は、懸架体７により昇降路１内に吊り下げられており、巻上機３により昇降路１内を昇降される。エレベータ制御装置５は、巻上機３を制御することにより、かご８の運行を制御する。
【００１４】
昇降路１内には、かご８の昇降を案内する一対のかごガイドレール（図示せず）と、釣合おもり９の昇降を案内する一対の釣合おもりガイドレール（図示せず）とが設置されている。
【００１５】
かご８は、懸架体７が接続されたかご枠１０と、かご枠１０に支持されたかご室１１とを有している。かご室１１の前面には、エレベータドアとしての一対のかごドア１２が設けられている。
【００１６】
複数階の乗場には、一対の乗場ドア１３がそれぞれ設けられている。乗場ドア１３は、かご８の着床時にかごドア１２が係合することにより、かごドア１２に連動して開閉動作される。
【００１７】
図２は図１のかご室１１の断面図、図３は図２のかご室１１を示す平面図である。かご室１１の上部には、天蓋１４が設けられている。天蓋１４は、天蓋本体１５と、天蓋本体１５に回動可能に設けられている矩形の救出口蓋１６とを有している。天蓋本体１５には、救出口１５ａが設けられている。救出口１５ａは、救出口蓋１６により開閉される。また、天蓋１４は、かご室１１の前面、背面及び左右の側面に設けられた複数のかご室壁１１ａの上端部に接続され支持されている。
【００１８】
天蓋１４には、救出口蓋１６を全閉位置にロックするロック装置１７が設けられている。ロック装置１７は、天蓋本体１５の救出口１５ａの縁部と救出口蓋１６の縁部とに渡って設けられている。ロック装置１７による救出口蓋１６のロックは、消防隊員等の作業員が天蓋１４上でロック装置１７を操作することにより手動で解除され、これにより救出口蓋１６が上方へ回動可能になる。
【００１９】
図４は図３のＩＶ部を拡大して示す平面図、図５は図４のロック装置１７を示す右側面図、図６は図４のロック装置１７によるロックを解除した状態を示す平面図である。
【００２０】
ロック装置１７は、救出口蓋１６を全閉位置に機械的にロックするロック位置（図４）とロックを解除する解除位置（図６）との間で変位可能なロック部材（ロックレバー）１８と、専用のキー（図示せず）によりかご室１１内からロック部材１８を操作するためのキー操作部１９と、ロック部材１８の位置に応じてかご８の昇降を規制する安全スイッチ２０とを有している。
【００２１】
安全スイッチ２０は、天蓋本体１５の救出口１５ａの縁部（救出口蓋１６の回動軸とは反対側の縁部）に設けられている。天蓋本体１５の上板の下面には、安全スイッチ２０を固定する安全スイッチ固定部材２１が固定されている。安全スイッチ２０は、天蓋本体１５の上板の下側に配置されている。また、安全スイッチ２０の軸方向寸法（図４の左右方向の寸法）は、軸方向に直角な方向の寸法よりも大きく、安全スイッチ２０は、軸方向が救出口１５ａの縁部と平行になるように配置されている。
【００２２】
ロック部材１８は、安全スイッチ２０に隣接する救出口蓋１６の縁部に、回動可能に設けられている。キー操作部１９は、ロック部材１８の回動軸に設けられている。この例では、キー操作部１９として三角キーが用いられている。救出口蓋１６の下面（裏面）には、ロック部材１８をかご室１１内から見えないように覆うカバー２２が固定されている。
【００２３】
救出口蓋１６には、天蓋１４からロック部材１８を手動操作するための開口（長孔）１６ａが設けられている。ロック部材１８の先端部には、ロック位置にあるときに安全スイッチ２０に挿入されるスイッチ係合部としてのスイッチ挿入部１８ａが設けられている。安全スイッチ２０の長手方向の端部には、スイッチ挿入部１８ａが挿入される挿入口２０ａが設けられている。
【００２４】
スイッチ挿入部１８ａが挿入口２０ａに挿入されることにより、安全スイッチ２０の接点が閉じられ、かご８の昇降が可能となる。逆に、挿入口２０ａからスイッチ挿入部１８ａが引き抜かれることにより、安全スイッチ２０の接点が開かれ、かご８の自動運転が禁止される。
【００２５】
ロック部材１８は、救出口蓋１６を開いた状態であれば、図６の２点鎖線で示す全閉阻止位置にも回動可能である。全閉阻止位置では、ロック部材１８が安全スイッチ２０に干渉することにより救出口蓋１６が全閉されるのが阻止される。
【００２６】
次に、動作について説明する。通常運転時には、救出口蓋１６は全閉されており、ロック部材１８はロック位置にある。このため、スイッチ挿入部１８ａが挿入口２０ａに挿入されており、かご８の昇降が許可されている。この状態で、エレベータ制御装置５により巻上機３が制御され、かご８が昇降される。
【００２７】
一方、何等かの原因により、かご室１１内の乗客を救出口１５ａから救出する必要が生じた場合には、作業員が乗場からかご８上に移動する。そして、開口１６ａを通してロック部材１８を解除位置まで回動させる。これにより、ロック装置１７によるロックが解除され、図５の２点鎖線に示すように、救出口蓋１６を上方へ開動作させることができる。また、この状態では、安全スイッチ２０の接点が開いているため、かご８の自動運転が禁止されている。
【００２８】
救出口蓋１６を所定の位置まで開動作させ、救出口１５ａを開放した後、救出口蓋１６の下方に配置されている照明カバーを外すことにより、かご室１１内が救出口１５ａを通してかご８上に連通され、乗客の救出が可能となる。
【００２９】
また、万一、作業員が救出口１５ａからかご室１１内に入った後に救出口蓋１６が閉じ、しかもロック部材１８が天蓋本体１５と干渉する位置までロック位置側へ回動されてしまった場合、作業員が携帯している専用のキーをキー操作部１９に嵌合させてキー操作部１９を回転操作する。これにより、ロック部材１８を解除位置まで回動させることができ、救出口蓋１６をかご室１１内から押し上げて開動作させることができる。
【００３０】
このようなエレベータのかご室天井装置では、安全スイッチ２０及びロック部材１８を天蓋本体１５と救出口蓋１６とに振り分けて配置し、ロック部材１８にスイッチ挿入部１８ａを設け、ロック部材１８を回動させることにより、救出口蓋１６のロック・解除及び安全スイッチ２０の接点の開閉を行うようにしたので、ロック装置１７を効率的に配置し、省スペース化を図ることができる。
【００３１】
これにより、救出口蓋１６に広いスペースを確保することができ、救出口蓋１６に設置される機器のレイアウト（ランプ配置等）の自由度を向上させることができる。また、設計負荷の軽減及び意匠性の向上を図ることができる。
【００３２】
また、救出口１５ａの開放時にロック部材１８を全閉阻止位置に回動させておくことにより、救出口蓋１６が誤って全閉されるのを防止することができる。
【００３３】
実施の形態２．
次に、図７はこの発明の実施の形態２によるエレベータのかご室天井装置の要部を示す平面図、図８は図７のロック装置によるロックを解除した状態を示す平面図、図９は図８のＩＸ−ＩＸ線に沿う断面図、図１０は図８のＸ−Ｘ線に沿う断面図である。
【００３４】
実施の形態２では、実施の形態１と同様の安全スイッチ２０が救出口蓋１６の縁部に設けられている。救出口蓋１６の下面には、安全スイッチ２０を固定する安全スイッチ固定部材２３が固定されている。
【００３５】
ロック部材（ロックレバー）２４は、救出口蓋１６の縁部に沿ってスライド可能に救出口蓋１６に設けられている。また、ロック部材２４は、救出口蓋１６を全閉位置に機械的にロックするロック位置（図７）とロックを解除する解除位置（図８）との間で変位される。救出口蓋１６の下面には、ロック部材２４のスライドを案内するガイドレール２５が固定されている。
【００３６】
ロック部材２４には、ロック位置にあるときに安全スイッチ２０の挿入口２０ａに挿入されるスイッチ係合部としてのスイッチ挿入部２４ａと、ロック位置にあるときに天蓋本体１５に係合して救出口蓋１６の開放を阻止するストッパ部（凸部）２４ｂと、ガイドレール２５に係合する折曲部２４ｃ（図９）とが設けられている。
【００３７】
天蓋本体１５の救出口１５ａの縁部には、ロック部材２４が解除位置にあるときにストッパ部２４ｂの通過を許容する切欠部（凹部）１５ｂが設けられている。
【００３８】
キー操作部１９とロック部材２４との間には、クランク機構２６が連結されている。キー操作部１９に操作力が入力されると、クランク機構２６を介してロック部材２４に伝達され、ロック部材２４がスライドされる。救出口蓋１６の下面には、ロック部材２４及びクランク機構２６をかご室１１内から見えないように覆うカバー（図示せず）が固定されている。
【００３９】
救出口蓋１６には、遮蔽部材としての遮蔽板ばね２７が取り付けられている。天蓋本体１５には、救出口蓋１６が全閉されたときに遮蔽板ばね２７に当接して遮蔽板ばね２７を弾性変形させるばね押さえ２８が設けられている。
【００４０】
救出口蓋１６が開放され、遮蔽板ばね２７がばね押さえ２８から離れると、弾性変形していた遮蔽板ばね２７が変形前の形状に復元される。このとき、図１０の２点鎖線に示すように、遮蔽板ばね２７が挿入口２０ａの前を横切るように構成されている。
【００４１】
即ち、遮蔽板ばね２７は、救出口蓋１６が開放されているとき、安全スイッチ２０とロック部材２４との間に位置しスイッチ挿入部２４ａが挿入口２０ａに挿入されるのを阻止する。また、遮蔽板ばね２７は、救出口蓋１６が全閉されているとき、ばね押さえ２８により弾性変形されて、スイッチ挿入部２４ａの挿入口２０ａへの挿入を許容する。
【００４２】
実施の形態２のロック装置２９は、ロック部材２４、ガイドレール２５、クランク機構２６、遮蔽板ばね２７、ばね押さえ２８、キー操作部１９及び安全スイッチ２０を有している。他の構成は、実施の形態１と同様である。
【００４３】
次に、動作について説明する。通常運転時には、救出口蓋１６は全閉されており、ロック部材２４はロック位置にある。このため、スイッチ挿入部２４ａは挿入口２０ａに挿入されており、かご８の昇降が許可されている。この状態で、エレベータ制御装置５により巻上機３が制御され、かご８が昇降される。
【００４４】
一方、何等かの原因により、かご室１１内の乗客を救出口１５ａから救出する必要が生じた場合には、作業員が乗場からかご８上に移動する。そして、開口１６ａを通してロック部材２４を解除位置までスライドさせる。これにより、ロック装置２９によるロックが解除され、救出口蓋１６を上方へ開動作させることができる。また、この状態では、安全スイッチ２０の接点が開いているため、かご８の自動運転が禁止されている。
【００４５】
救出口蓋１６を所定の位置まで開動作させ、救出口１５ａを開放した後、救出口蓋１６の下方に配置されている照明カバーを外すことにより、かご室１１内が救出口１５ａを通してかご８上に連通され、乗客の救出が可能となる。
【００４６】
また、万一、作業員が救出口１５ａからかご室１１内に入った後に救出口蓋１６が閉じ、しかもロック部材２４が天蓋本体１５と干渉する位置までロック位置側へスライドされてしまった場合、作業員が携帯している専用のキーをキー操作部１９に嵌合させてキー操作部１９を回転操作する。これにより、ロック部材２４を解除位置までスライドさせることができ、救出口蓋１６をかご室１１内から押し上げて開動作させることができる。
【００４７】
このようなエレベータのかご室天井装置では、安全スイッチ２０、ロック部材２４及びクランク機構２６を救出口蓋１６の縁部に配置し、ロック部材２４にスイッチ挿入部２４ａを設け、ロック部材２４を安全スイッチ２０の長手方向にスライドさせることにより、救出口蓋１６のロック・解除及び安全スイッチ２０の接点の開閉を行うようにしたので、ロック装置２９を効率的に配置し、省スペース化を図ることができる。
【００４８】
これにより、救出口蓋１６に広いスペースを確保することができ、救出口蓋１６に設置される機器のレイアウトの自由度を向上させることができる。また、設計負荷の軽減及び意匠性の向上を図ることができる。
【００４９】
また、救出口１５ａの開放時にロック部材２４を解除位置からずらしておくことにより、救出口蓋１６が誤って全閉されるのを防止することができる。
【００５０】
さらに、救出口蓋１６に遮蔽板ばね２７を設けたので、救出口蓋１６が開いているときに安全スイッチ２０の接点が誤って閉じられるのを防止することができる。
【００５１】
なお、上記の例では、ロック部材１８，２４をロック位置に変位させたときに、スイッチ挿入部１８ａ，２４ａが挿入口２０ａに挿入される構造を示したが、ロック部材により安全スイッチの接点を開閉する構造はこれに限定されるものではない。即ち、スイッチ係合部は、スイッチ挿入部１８ａ，２４ａに限定されない。
また、この発明が適用されるエレベータ装置のタイプは、図１のタイプに限定されるものではない。例えば、機械室レスエレベータ、マルチカー方式のエレベータ装置、又はダブルデッキエレベータ等にも、この発明は適用できる。
さらに、巻上機３、エレベータ制御装置５、懸架体７及び釣合おもり９等のエレベータ機器の位置や個数も上記の例に限定されない。例えば、２：１ローピング方式のエレベータ装置にも、この発明は適用できる。
【図１】
2014027392.tif 000003
【図２】
2014027392.tif 000004
【図３】
2014027392.tif 000005
【図４】
2014027392.tif 000006
【図５】
2014027392.tif 000007
【図６】
2014027392.tif 000008
【図７】
2014027392.tif 000009
【図８】
2014027392.tif 000010
【図９】
2014027392.tif 000011
【図１０】
2014027392.tif 000012
【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
救出口が設けられている天蓋本体と、前記天蓋本体に設けられており、前記救出口を開閉する救出口蓋とを有している天蓋、及び
前記救出口蓋を全閉位置にロックするロック位置とロックを解除する解除位置との間で変位可能なロック部材と、専用のキーによりかご室内から前記ロック部材を操作するためのキー操作部と、前記ロック部材の位置に応じてかごの昇降を規制する安全スイッチとを有しており、前記天蓋に設けられているロック装置
を備え、
前記安全スイッチは、前記天蓋本体の前記救出口の縁部に設けられており、
前記ロック部材は、前記救出口蓋に回動可能に設けられており、
前記ロック部材には、ロック位置にあるときに前記安全スイッチに係合するスイッチ係合部が設けられており、
前記スイッチ係合部の前記安全スイッチへの係合が解除されることにより、前記安全スイッチの接点が開かれ、
前記ロック部材は、前記安全スイッチに干渉することにより前記救出口蓋が全閉されるのを阻止する全閉阻止位置にも回動可能であるエレベータのかご室天井装置。
【請求項２】
救出口が設けられている天蓋本体と、前記天蓋本体に設けられており、前記救出口を開閉する救出口蓋とを有している天蓋、及び
前記救出口蓋の開放を機械的に阻止するロック位置とロックを解除する解除位置との間で変位可能なロック部材と、専用のキーによりかご室内から前記ロック部材を操作するためのキー操作部と、前記ロック部材の位置に応じてかごの昇降を規制する安全スイッチとを有しており、前記天蓋に設けられているロック装置
を備え、
前記安全スイッチは、前記救出口蓋の縁部に設けられており、
前記ロック部材は、前記救出口蓋の縁部に沿ってスライド可能に前記救出口蓋に設けられており、
前記ロック部材には、ロック位置にあるときに前記安全スイッチに係合するスイッチ係合部と、ロック位置にあるときに前記天蓋本体に係合して前記救出口蓋の開放を阻止するストッパ部とが設けられており、
前記天蓋本体には、前記ロック部材が解除位置にあるときに前記ストッパ部の通過を許容する切欠部が設けられており、
前記スイッチ係合部の前記安全スイッチへの係合が解除されることにより、前記安全スイッチの接点が開放され、
前記救出口蓋には、前記救出口蓋が開放されているときに前記安全スイッチと前記ロック部材との間に位置し前記スイッチ係合部が前記安全スイッチに係合するのを阻止する遮蔽部材が設けられているエレベータのかご室天井装置。
【請求項３】
前記遮蔽部材は、弾性変形されることにより前記スイッチ係合部の前記安全スイッチへの係合を許容する遮蔽板ばねである請求項２記載のエレベータのかご室天井装置。
【請求項４】
前記天蓋本体には、前記救出口蓋が全閉されたときに前記遮蔽板ばねに当接して前記遮蔽板ばねを弾性変形させるばね押さえが設けられている請求項３記載のエレベータのかご室天井装置。
【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
救出口が設けられている天蓋本体と、前記天蓋本体に設けられており、前記救出口を開閉する救出口蓋とを有している天蓋、及び
前記救出口蓋の開放を機械的に阻止するロック位置とロックを解除する解除位置との間で変位可能なロック部材と、専用のキーによりかご室内から前記ロック部材を操作するためのキー操作部と、前記ロック部材の位置に応じてかごの昇降を規制する安全スイッチとを有しており、前記天蓋に設けられているロック装置
を備え、
前記安全スイッチは、前記救出口蓋の縁部に設けられており、
前記ロック部材は、前記救出口蓋の縁部に沿ってスライド可能に前記救出口蓋に設けられており、
前記ロック部材には、ロック位置にあるときに前記安全スイッチに係合するスイッチ係合部と、ロック位置にあるときに前記天蓋本体に係合して前記救出口蓋の開放を阻止するストッパ部とが設けられており、
前記天蓋本体には、前記ロック部材が解除位置にあるときに前記ストッパ部の通過を許容する切欠部が設けられており、
前記スイッチ係合部の前記安全スイッチへの係合が解除されることにより、前記安全スイッチの接点が開放され、
前記救出口蓋には、前記救出口蓋が開放されているときに前記安全スイッチと前記ロック部材との間に位置し前記スイッチ係合部が前記安全スイッチに係合するのを阻止する遮蔽部材が設けられているエレベータのかご室天井装置。
【請求項２】
前記遮蔽部材は、弾性変形されることにより前記スイッチ係合部の前記安全スイッチへの係合を許容する遮蔽板ばねである請求項１記載のエレベータのかご室天井装置。
【請求項３】
前記天蓋本体には、前記救出口蓋が全閉されたときに前記遮蔽板ばねに当接して前記遮蔽板ばねを弾性変形させるばね押さえが設けられている請求項２記載のエレベータのかご室天井装置。
【国際調査報告】
2014027392.tif 000013
2014027392.tif 000014
2014027392.tif 000015
2014027392.tif 000016